(57)【特許請求の範囲】
【請求項１】
複数の通信網に対して接続可能な通信端末に対してメッセージを送信するメッセージ送信システムであって、
前記通信端末が接続中の通信網を特定する情報である接続先情報を取得する接続先情報取得手段と、
前記接続先情報取得手段により取得された情報を格納する接続先情報格納手段と、
前記通信端末へのメッセージを受信するメッセージ受信手段と、
前記接続先情報格納手段に格納される情報に基づいて前記通信端末に対して前記メッセージを送信するために使用する通信網を決定する送信先判定手段と、
前記メッセージ受信手段により受信された前記メッセージを、前記送信先判定手段により決定された通信網を利用して、前記通信端末に対して送信するメッセージ送信手段と、
を備え、
前記接続先情報には、前記通信端末の在圏情報と、前記通信端末が接続する通信網を変更したことを示す情報と、が含まれるメッセージ送信システム。
【請求項２】
前記複数の通信網には、ＬＴＥ網と３Ｇ網とが含まれ、
前記通信端末が接続する通信網を変更したことを示す情報とは、前記通信端末がＳＲＶＣＣ又はＣＳＦＢ通信を開始したことを示す情報、或いは、前記通信端末が前記ＬＴＥ網から前記３Ｇ網へ接続先を変更したことを示す情報である請求項１記載のメッセージ送信システム。
【請求項３】
複数の通信網に対して接続可能な通信端末に対してメッセージを送信するメッセージ送信方法であって、
前記通信端末が接続中の通信網を特定する情報である接続先情報を取得する接続先情報取得ステップと、
前記接続先情報取得ステップにおいて取得された情報を接続先情報格納手段に格納する接続先情報格納ステップと、
前記通信端末へのメッセージを受信するメッセージ受信ステップと、
前記接続先情報格納手段に格納される情報に基づいて前記通信端末に対して前記メッセージを送信するために使用する通信網を決定する送信先判定ステップと、
前記メッセージ受信ステップおいて受信された前記メッセージを、前記送信先判定ステップにより決定された通信網を利用して、前記通信端末に対して送信するメッセージ送信ステップと、
を備え、
前記接続先情報には、前記通信端末の在圏情報と、前記通信端末が接続する通信網を変更したことを示す情報と、が含まれるメッセージ送信方法。
【発明の詳細な説明】
【技術分野】
【０００１】
本発明は、メッセージ送信システム及びメッセージ送信方法に関する。
【背景技術】
【０００２】
携帯電話等の通信端末による無線通信の方式として、３ＧＰＰ（Third  Generation  Partnership  Project）によって標準化された通信方式（以下、「３Ｇ方式」とする）、及び、ＬＴＥ（Long-Term  Evolution）が広く用いられている。そのため、３Ｇ方式及びＬＴＥの２種類の通信方式を併用できる通信端末が知られている。通信端末に対するメッセージの送受信の手段の一つとして、従来からショートメッセージサービス（以下、「ＳＭＳ」とする）が用いられるが、通信端末が複数種類の通信方式（通信網）を使用することができる場合、サーバ側がＳＭＳのようなメッセージを通信端末に対して送信する際には、通信端末の通信状況に応じてメッセージの送信に用いる通信方式（通信網）を選択する必要がある。そこで、例えば、特許文献１のように、通信端末側からサーバ側に対して使用可能な通信方式を通知する構成が検討されている。
【先行技術文献】
【特許文献】
【０００３】
【特許文献１】特開２０１４−１０３６０８号公報
【発明の概要】
【発明が解決しようとする課題】
【０００４】
しかしながら、特許文献１に記載の構成では、通信端末の通信状況をサーバ側で把握するためには、通信端末側からサーバ側に対して通信状況を繰り返して通知する必要があり、通信状況をサーバ側に通知するための通信量が増大する。また、メッセージをサーバ側から通信端末に対して送信する際には、通信端末の通信状況が変化している可能性も考えられる。
【０００５】
本発明は上記を鑑みてなされたものであり、複数の通信網を利用する通信端末へのメッセージの送信をより好適に行うことが可能なメッセージ送信システム及びメッセージ送信方法を提供することを目的とする。
【課題を解決するための手段】
【０００６】
上記目的を達成するため、本発明に係るメッセージ送信システムは、複数の通信網に対して接続可能な通信端末に対してメッセージを送信するメッセージ送信システムであって、前記通信端末が接続中の通信網を特定する情報である接続先情報を取得する接続先情報取得手段と、前記接続先情報取得手段により取得された情報を格納する接続先情報格納手段と、前記通信端末へのメッセージを受信するメッセージ受信手段と、前記接続先情報格納手段に格納される情報に基づいて前記通信端末に対して前記メッセージを送信するために使用する通信網を決定する送信先判定手段と、前記メッセージ受信手段により受信された前記メッセージを、前記送信先判定手段により決定された通信網を利用して、前記通信端末に対して送信するメッセージ送信手段と、を備え、前記接続先情報には、前記通信端末の在圏情報と、前記通信端末が接続する通信網を変更したことを示す情報と、が含まれることを特徴とする。
【０００７】
また、本発明に係るメッセージ送信方法は、複数の通信網に対して接続可能な通信端末に対してメッセージを送信するメッセージ送信方法であって、前記通信端末が接続中の通信網を特定する情報である接続先情報を取得する接続先情報取得ステップと、前記接続先情報取得ステップにおいて取得された情報を接続先情報格納手段に格納する接続先情報格納ステップと、前記通信端末へのメッセージを受信するメッセージ受信ステップと、前記接続先情報格納手段に格納される情報に基づいて前記通信端末に対して前記メッセージを送信するために使用する通信網を決定する送信先判定ステップと、前記メッセージ受信ステップおいて受信された前記メッセージを、前記送信先判定ステップにより決定された通信網を利用して、前記通信端末に対して送信するメッセージ送信ステップと、を備え、前記接続先情報には、前記通信端末の在圏情報と、前記通信端末が接続する通信網を変更したことを示す情報と、が含まれることを特徴とする。
【０００８】
上記のメッセージ送信システム及びメッセージ送信方法によれば、通信端末の在圏情報と、通信端末が接続する通信網を変更したことを示す情報と、を含む接続先情報に基づいて、通信端末が接続中の通信網を使用して、当該通信端末に対してメッセージを送信することができる。したがって、複数の通信網を利用する通信端末へのメッセージの送信を好適に行うことが可能となる。
【０００９】
ここで、前記複数の通信網には、ＬＴＥ網と３Ｇ網とが含まれ、前記通信端末が接続する通信網を変更したことを示す情報とは、前記通信端末がＳＲＶＣＣ又はＣＳＦＢ通信を開始したことを示す情報、或いは、前記通信端末が前記ＬＴＥ網から前記３Ｇ網へ接続先を変更したことを示す情報である態様とすることができる。
【００１０】
上記のように、通信端末がＳＲＶＣＣ又はＣＳＦＢ通信を開始した場合、及び、通信端末がＬＴＥ網から３Ｇ網へ接続先を変更した場合は、通信端末が接続先を変更した情報が、通信端末の在圏情報に反映されない場合がある。したがって、通信端末が接続する通信網を変更したことを示す情報として、通信端末がＳＲＶＣＣ又はＣＳＦＢ通信を開始したことを示す情報、或いは、通信端末がＬＴＥ網から３Ｇ網へ接続先を変更したことを示す情報を用いることで、複数の通信網を利用する通信端末へのメッセージの送信をより好適に行うことが可能となる。
【発明の効果】
【００１１】
本発明によれば、複数の通信網を利用する通信端末へのメッセージの送信を好適に行うことが可能なメッセージ送信システム及びメッセージ送信方法が提供される。
【図面の簡単な説明】
【００１２】
【図１】実施形態に係る通信システムの構成を示す図である。
【図２】通信システムの各装置に係るハードウェア構成を示す図である。
【図３】ＨＳＳにて保持される在圏情報の例を示す図である。
【図４】メッセージ送信システムの機能ブロックを示す図である。
【図５】ＧＭＳＣ／ＡＳで保持される３Ｇ接続情報の例を示す図である。
【図６】Ｐ−ＣＳＣＦで保持される在圏移動情報の例を示す図である。
【図７】メッセージ送信システムによるメッセージ送信方法を説明するフローチャートである。
【図８】通信端末がＳＲＶＣＣ中である場合のメッセージ送信方法を説明するシーケンス図である。
【図９】通信端末がＣＳＦＢ通信中である場合のメッセージ送信方法を説明するシーケンス図である。
【図１０】通信端末が在圏移動した場合のメッセージ送信方法を説明するシーケンス図である。
【発明を実施するための形態】
【００１３】
以下、添付図面を参照して、本発明を実施するための形態を詳細に説明する。なお、図面の説明においては同一要素には同一符号を付し、重複する説明を省略する。
【００１４】
図１は、本発明の一実施形態に係るメッセージ送信システムを含む通信システムのシステム構成を示す図である。図１に示す通信システム１は、ＬＴＥ（Long  Term  Evolution）網Ｎ１及び３Ｇ（3rd  Generation）網Ｎ２の通信規格（通信プロトコル）に準拠して、端末装置に対してＶｏＬＴＥ（Voice  over  LTE）等のデータ通信を提供する通信システムである。図１に示すように、通信システム１は、ＳＭＳＣ（Short  Message  Service  Center）１０と、ＧＭＳＣ（Gateway  Mobile  Switching  Center）／ＡＳ（Application  Server）２０と、ＨＳＳ（Home  Subscriber  Server）３０と、Ｐ−ＣＳＣＦ（Proxy  Call  Session  Control  Function）４０と、Ｓ−ＣＳＣＦ（Serving-CSCF）５０と、ＰＣＲＦ（Policy  and  Charging  RulesFunction）６０と、ＳＧＳＮ（Serving  General  packet  radio  service  Support  Node）７０とを含んで構成されている。上記の通信システム１は、ユーザにより持ち運ばれる移動通信端末であるＵＥ（User  Equipment）８０（８０Ａ，８０Ｂ）と通信可能にされている。
【００１５】
ＵＥ８０（通信端末）は、通信システム１のうち、ＨＳＳ３０、Ｐ−ＣＳＣＦ４０及びＳ−ＣＳＣＦ５０等を含んで構成されるＩＭＳ（IP  Multimedia  Subsystem）のコアネットワークに接続し、無線通信によって種々のサービスの提供を受けることができる。種々のサービスとしては、ＬＴＥ網Ｎ１におけるパケット交換方式による音声通信（ＶｏＬＴＥ：Voice  over  LTE）サービス及びデータ通信サービス（例えばＳＭＳ又は電子メール等のデータ通信）等がある。また、ＵＥ８０は、通信システム１のＳＧＳＮ７０と通信を行うことで、３Ｇ網Ｎ２を介した無線通信によって、回線交換方式による音声通信及びパケット交換方式によるデータ通信サービスの提供を受けることもできる。
【００１６】
本実施形態では、ＵＥ８０ＡがＬＴＥ網Ｎ１に在圏した後に、ＬＴＥ網Ｎ１から３Ｇ網Ｎ２へ接続する通信網を変更した場合に、ＵＥ８０Ｂから送信されたＵＥ８０Ａ宛のＳＭＳをＵＥ８０Ａに対して送信するためのメッセージ送信システム及びメッセージ送信方法について説明する。メッセージ送信システム２は、通信システム１のＧＭＳＣ／ＡＳ２０及びＰ−ＣＳＣＦ４０を含んで構成される。
【００１７】
図２は、本実施形態の通信システム１に含まれる各装置のハードウェア構成を示す図である。すなわち、図１に示されるＳＭＳＣ１０、ＧＭＳＣ／ＡＳ２０、ＨＳＳ３０、Ｐ−ＣＳＣＦ４０、Ｓ−ＣＳＣＦ５０、ＰＣＲＦ６０及びＳＧＳＮ７０は、物理的には、それぞれ図２に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるタッチパネル及びキーボード等に例示される入力装置１０６、ディスプレイ等の出力装置１０７などを含むコンピュータシステムとして構成されている。ＳＭＳＣ１０、ＧＭＳＣ／ＡＳ２０、ＨＳＳ３０、Ｐ−ＣＳＣＦ４０、Ｓ−ＣＳＣＦ５０、ＰＣＲＦ６０及びＳＧＳＮ７０では、図２に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで、各装置における一連の機能が実現される。以下、図１に戻り、各装置の機能について詳細を説明する。
【００１８】
最初に、通信システム１の各構成の基本的な機能について説明する。本実施形態において、ＵＥ８０Ａは、無線基地局であるｅＮＢ（evolved  Node  B）（図示せず）との間で電波の送受信を行うことによりＬＴＥ網Ｎ１に在圏することが可能であると共に、無線基地局であるＢＴＳ（Base  Transceiver  Station）（図示せず）との間で電波の送受信を行うことにより３Ｇ網Ｎ２に在圏することが可能な端末である、すなわち、ＵＥ８０Ａは、２種類の通信網間での在圏移動が可能な通信端末であるとする。ＵＥ８０Ｂが接続する通信網は、ＵＥ８０Ａに対してＳＭＳの送信が可能な通信網であれば特に限定されない。
【００１９】
通信システム１に含まれるＳＭＳＣ１０は、ＵＥ８０ＢからのＳＭＳ送信要求を受信してＳＭＳを蓄積する機能を有する。
【００２０】
ＧＭＳＣ／ＡＳ２０は、ＵＥ８０ＢからのＳＭＳをＵＥ８０Ａに対して転送する機能を有する。本実施形態では、ＧＭＳＣ／ＡＳ２０は、ＧＭＳＣとＡＳとが一体化されたブロック図を示しているが、２つの装置は別装置である。なお、以下の実施形態では、簡略化のためにＧＭＳＣ／ＡＳ２０として一体化されたものを使用する場合がある。ただし、ＧＭＳＣ又はＡＳとしての機能を利用した処理の場合には、ＧＭＳＣ、ＡＳのいずれか一方のみを明示する場合がある。また、２つの装置に分けて記載をする場合もある。
【００２１】
ＨＳＳ３０は、ＵＥ８０Ａ等の通信端末の契約情報、認証情報、及び在圏情報を管理する加入者情報管理サーバ（加入者情報管理データベース）である。ここで、ＨＳＳ３０で保持される通信端末の在圏情報とは、通信端末が接続している通信網を示す情報のことである。ＨＳＳ３０において保持される通信端末の在圏情報の例を図３に示す。図３に示すように、ＨＳＳ３０では、通信端末を特定する情報（端末Ａ）に対応付けて、通信端末がＬＴＥ網Ｎ１への在圏有無に係る情報（○又は×）及び３Ｇ網Ｎ２への在圏有無に係る情報（○又は×）を保持している。図３に示す「端末Ａ」は、ＬＴＥ網Ｎ１に在圏（○）し、３Ｇ網Ｎ２には在圏していない（×）状況を示す。このような場合、「端末Ａ」に対してＳＭＳを送信する場合には、ＨＳＳ３０において保持される情報に基づいてＬＴＥ網Ｎ１を介して送信が行われる。また、図３に示す「端末Ｂ」は、ＬＴＥ網Ｎ１と３Ｇ網Ｎ２の両方に在圏（○）している状況を示す。この場合でも、「端末Ｂ」に対してＳＭＳを送信する場合には、ＨＳＳ３０において保持される情報に基づいてＬＴＥ網Ｎ１を介して送信が行われる。
【００２２】
ただし、ＨＳＳ３０における在圏情報は、通信端末が接続している通信網に係る情報を正しく反映をしていない場合がある。それは「通信端末がＳＲＶＣＣ（Single  Radio  Voice  Call  Continuity）中の場合」、「通信端末がＣＳＦＢ（Circuit  Switched  Fall  Back：回線交換フォールバック）通信中の場合」、及び、「通信端末が３Ｇ網Ｎ２に在圏移動してからの時間が短い場合」である。
【００２３】
ＳＲＶＣＣ中とは、通信端末が他の通信端末との通信を維持したままＬＴＥ網Ｎ１から３Ｇ網Ｎ２への接続する通信網の変更に係る処理を実行中であることを示すものである。通信端末におけるＳＲＶＣＣに係る処理は、他の通信端末との通信が終了するまで継続され、ＳＲＶＣＣ中は、通信端末はＬＴＥ網Ｎ１ではなく３Ｇ網Ｎ２を利用した通信を行っている。なお、ＳＲＶＣＣとは、３ＧＰＰの標準化規格において規定されているものである（3GPP  TS  23.216：Single  Radio  Voice  Call  Continuity (SRVCC)）。通信端末がＳＲＶＣＣを開始した場合、その情報は、ＨＳＳ３０の在圏情報に反映されない。
【００２４】
また、ＣＳＦＢ通信とは、ＬＴＥ網Ｎ１に在圏中の通信端末が、回線交換方式の３Ｇ音声通信を利用することを示すものである。３Ｇ音声通信が終了すると、通信端末は、再びＬＴＥ網Ｎ１に在圏することになるが、通話中については、通信端末はＬＴＥ網Ｎ１ではなく３Ｇ網Ｎ２を利用した通信を行っている。ＣＳＦＢとは、３ＧＰＰの標準化規格において規定されているものである（3GPP  TS  23.272：Circuit  Switched  (CS)  fallback  in  Evolved  Packet  System  (EPS)）。通信端末がＣＳＦＢ通信を開始した場合、その情報は、ＨＳＳ３０の在圏情報に反映されない。
【００２５】
また、通信端末が移動する等によりＬＴＥ網Ｎ１から３Ｇ網Ｎ２へ在圏移動した場合は、ＨＳＳ３０における通信端末（ＵＥ８０）の在圏情報は更新されるが、ＨＳＳ３０における通信端末の在圏情報が更新されるまでには時間を要する。
【００２６】
上記のように、在圏情報として、通信端末（ＵＥ８０）の在圏状況を正確に反映しておらず、通信端末がＬＴＥ網Ｎ１に在圏していることを示す情報をＨＳＳ３０が保持している場合がある。この場合、ＨＳＳ３０の保持する在圏情報に基づいて、通信端末がＬＴＥ網Ｎ１に在圏していると判断してＬＴＥ網Ｎ１を介した通信により通信端末に対してＳＭＳ着信を通知しようとすると、ＬＴＥ網Ｎ１に対して通信端末が接続していないため、エラーが発生する。したがって、ＨＳＳ３０の情報に基づいて通信端末に対してＳＭＳを好適に送信できない場合がある。本実施形態で説明するメッセージ送信システム２は、上記のような問題を解決するための構成を備える。詳細は後述する。
【００２７】
Ｐ−ＣＳＣＦ４０は、セッション管理機能を有し、通信端末（ＵＥ８０）と相互接続するＳＩＰ（Session  Initiation  Protocol）プロキシサーバである。
【００２８】
Ｓ−ＣＳＣＦ５０は、通信端末（ＵＥ８０）と接続されてＩＭＳにおける呼のセッション制御を行う論理ノードであり、Ｓ−ＣＳＣＦ５０は、ＳＩＰ（Session Initiation Protocol）サーバとして、ＳＩＰメッセージの処理を行う論理ノードであり、ユーザの登録やセッション設定の制御を行う。
【００２９】
ＰＣＲＦ６０は、ＬＴＥ網Ｎ１を介して送受信されるユーザデータパケットに対して適用するＱｏＳ値や課金体系を決定する交換機である。
【００３０】
ＳＧＳＮ７０は、３Ｇ網Ｎ２を用いたパケット通信のためのセッションを設定し、パケット交換の制御を行う装置である。なお、ＳＧＳＮ７０は、パケット通信時のユーザの認証等を行うＧＧＳＮ（Gateway  GPRS  Support  Node）の機能を同一装置内に有するものであってもよい。
【００３１】
次に、図４を参照しながら、メッセージ送信システム２を構成するＧＭＳＣ／ＡＳ２０及びＰ−ＣＳＣＦ４０を構成する機能ブロックについて説明する。
【００３２】
図４に示すように、ＧＭＳＣ／ＡＳ２０は、ＳＭＳ受信部２１（メッセージ受信手段）と、３Ｇ接続情報取得部２２（接続先情報取得手段）と、３Ｇ接続情報格納部２３（接続先情報格納手段）と、送信先判定部２４（接続先情報取得手段、送信先判定手段）と、ＳＭＳ送信部２５（メッセージ送信手段）と、を含んで構成される。また、Ｐ−ＣＳＣＦ４０は、ＳＭＳ受信部４１と、在圏移動情報取得部４２（接続先情報取得手段）と、在圏移動情報格納部４３（接続先情報格納手段）と、送信可否判定部４４（送信先判定手段）と、ＳＭＳ送信部４５（メッセージ送信手段）と、を含んで構成される。
【００３３】
ＧＭＳＣ／ＡＳ２０のＳＭＳ受信部２１は、ＳＭＳＣ１０からＵＥ８０Ａ宛のＳＭＳを受信する機能を有する。ＳＭＳ受信部２１において受信されたＳＭＳには、送信先となる対象の通信端末（本実施形態ではＵＥ８０Ａ）を特定する情報が含まれる。
【００３４】
ＧＭＳＣ／ＡＳ２０の３Ｇ接続情報取得部２２は、対象の通信端末がＳＲＶＣＣに係る処理を開始した場合や、ＣＳＦＢ通信を開始した場合に、当該情報を接続先情報（接続する通信網を変更したことを示す情報）として取得して３Ｇ接続情報格納部２３に格納する機能を有する。また、なお、３Ｇ接続情報取得部２２では、配下の通信端末がＳＲＶＣＣに係る処理を開始したことは、Ｓ−ＣＳＣＦ５０から送信される在圏切替通知の受信を契機として認識することができる。また、配下の通信端末がＣＳＦＢ通信を開始したことは、Ｓ−ＣＳＣＦ５０から送信される音声発信に係る通信要求の受信を契機として認識することができる。なお、通信端末がＳＲＶＣＣやＣＳＦＢ通信を終了後、通信端末が３Ｇ網Ｎ２へ移動する場合には、在圏移動等の所定の処理が行われる。一方、３Ｇ接続情報格納部２３では、Ｓ−ＣＳＣＦ５０から送信される終了の通知を受信することを契機として、保持している情報を更新する。
【００３５】
ＧＭＳＣ／ＡＳ２０の３Ｇ接続情報格納部２３は、ＳＲＶＣＣ中又はＣＳＦＢ通信中の通信端末の情報、すなわち、通信端末が接続する通信網を変更したことを示す情報を格納する機能を有する。３Ｇ接続情報格納部２３に格納される情報の例を図５に示す。３Ｇ接続情報格納部２３では、通信端末を特定する情報と、当該端末がどの処理を行っているかを示す情報とを対応付けて格納している。具体的には、図５では、「端末Ａ」がＳＲＶＣＣ中（「〇」）であることを示している。このように、３Ｇ接続情報格納部２３では、配下の通信端末が３Ｇ網Ｎ２を介した通信を行っている際にそのことを特定する情報を保持する。
【００３６】
ＧＭＳＣ／ＡＳ２０の送信先判定部２４は、ＳＭＳ受信部２１により受信されたＳＭＳを送信先の通信端末に対して送信する際に用いる通信網を判定する機能を有する。具体的には、送信先判定部２４は、ＨＳＳ３０に対して対象の通信端末（本実施形態ではＵＥ８０Ａ）に係る在圏情報を問い合わせることで、通信端末に対してＳＭＳを送信する際に用いるＲＡＴ（Radio  Access  Technology：本実施形態ではＬＴＥ網Ｎ１又は３Ｇ網Ｎ２）を選択する。例えば、図３の端末Ａのように、ＵＥ８０ＡがＬＴＥ網Ｎ１に在圏していることを示す情報をＨＳＳ３０が保持している場合、送信先判定部２４は、ＬＴＥ網Ｎ１を介してＵＥ８０Ａ宛のＳＭＳを送信すると判定する。このように、送信先判定部２４は、ＨＳＳ３０から通信端末の在圏情報を取得することから、接続先情報取得手段としても機能する。ただし、ＨＳＳ３０から取得される通信端末の在圏情報は、３Ｇ接続情報格納部２３には格納されない。
【００３７】
送信先判定部２４は、ＳＭＳの送信先を判定する際に、３Ｇ接続情報格納部２３に格納された情報（接続先情報）も用いる。具体的には、ＳＭＳ着信を通知する対象の通信端末（本実施形態ではＵＥ８０Ａ）がＳＲＶＣＣ中又はＣＳＦＢ通信中であるかどうかを確認し、３Ｇ接続情報格納部２３に当該通信端末に係る情報が格納されている場合には、ＬＴＥ網Ｎ１ではなく３Ｇ網Ｎ２を介してＳＭＳを送信すると判定する。
【００３８】
ＧＭＳＣ／ＡＳ２０のＳＭＳ送信部２５は、送信先判定部２４による判定結果に基づいて、ＳＭＳを送信する。具体的には、通信端末に対してＬＴＥ網Ｎ１を介してＳＭＳ着信を通知すると判定した場合には、Ｐ−ＣＳＣＦ４０に対してＳＭＳを送信する。また、通信端末に対して３Ｇ網Ｎ２を介してＳＭＳ着信を通知すると判定した場合には、ＳＧＳＮ７０に対してＳＭＳを送信する。
【００３９】
また、ＧＭＳＣ／ＡＳ２０は、Ｐ−ＣＳＣＦ４０からＳＭＳ配信に係るエラーが通知される場合に、これをＳＧＳＮ７０に対して送信する機能を有する。Ｐ−ＣＳＣＦ４０からエラーが通知されるのは、Ｐ−ＣＳＣＦ４０において通信端末がＬＴＥ網Ｎ１から３Ｇ網Ｎ２へ在圏移動したため、ＳＭＳの送信にＬＴＥ網Ｎ１を用いないと判定されたときである（詳細は後述する）。したがって、Ｐ−ＣＳＣＦ４０からエラーが通知された場合には、ＳＭＳ受信部２１でこれを受信した後に送信先判定部２４において３Ｇ網Ｎ２を介してＳＭＳを送信すると判定して、ＳＭＳ送信部２５からＳＧＳＮ７０に対してＳＭＳを送信する構成とする。
【００４０】
Ｐ−ＣＳＣＦ４０のＳＭＳ受信部４１は、ＧＭＳＣ／ＡＳ２０からＳＭＳを受信する機能を有する。ＳＭＳ受信部４１において受信されたＳＭＳには、送信先を示す情報、すなわちＵＥ８０Ａを特定する情報が含まれる。
【００４１】
Ｐ−ＣＳＣＦ４０の在圏移動情報取得部４２は、ＵＥ８０Ａが３Ｇ網Ｎ２へ在圏移動をした場合に、当該情報を取得して接続先情報として在圏移動情報格納部４３に格納する機能を有する。なお、在圏移動情報取得部４２では、配下の通信端末が在圏移動をしたことは、通信端末が在圏移動に係る処理をした際に認識することができる。具体的には、通信端末がＬＴＥ網Ｎ１に接続している間は、当該通信端末とＬＴＥ網Ｎ１におけるＩＭＳのコアネットワークとの間で通信路（ＩＭＳベアラ）を構築しているが、在圏移動を契機としてＩＭＳベアラが切断される。ＩＭＳベアラの切断に対応して通信端末との間でＩＭＳベアラを設けているＩＭＳ−ＰＤＮ（Packet  Data  Network）が存在しないことがＰ−ＣＳＣＦ４０に対して通知されるので、Ｐ−ＣＳＣＦ４０の在圏移動情報取得部４２では、これを在圏移動情報として取得する。
【００４２】
Ｐ−ＣＳＣＦ４０の在圏移動情報格納部４３は、３Ｇ網Ｎ２へ在圏移動した通信端末の情報（接続する通信網を変更したことを示す情報）を格納する機能を有する。在圏移動情報格納部４３に格納される情報の例を図６に示す。在圏移動情報格納部４３では、通信端末を特定する情報と、当該端末に対応したＩＭＳ−ＰＤＮが存在しない（存在を認識していない）ことを示す情報とを対応付けて格納している。具体的には、図６では、「端末Ａ」に係るＬＴＥ在圏情報として、ＩＭＳ−ＰＤＮが存在しない（「×」）であることを示している。このように、在圏移動情報格納部４３では、配下の通信端末が３Ｇ網Ｎ２へ在圏移動した場合にそのことを示す情報を保持する。Ｐ−ＣＳＣＦ４０では、配下の通信端末のＰＤＮに係る情報を常に把握しているので、この情報を配下の通信端末の在圏移動に係る情報として利用することができる。
【００４３】
Ｐ−ＣＳＣＦ４０の送信可否判定部４４は、ＳＭＳ受信部４１により受信されたＳＭＳをＵＥ８０Ａに対して送信する際にＬＴＥ網Ｎ１を用いてよいかを判定する機能を有する。具体的には、送信可否判定部４４は、在圏移動情報格納部４３を参照して、ＳＭＳ着信を通知する対象の通信端末（本実施形態ではＵＥ８０Ａ）が３Ｇ網Ｎ２へ在圏移動している場合には、ＬＴＥ網Ｎ１を介してＳＭＳを送信することができない。したがって、在圏移動情報格納部４３に当該通信端末に係る情報が格納されている場合には、ＬＴＥ網Ｎ１を利用してＳＭＳを送信することが不可であると判定し、３Ｇ網Ｎ２を介してＳＭＳを送信すると決定する。
【００４４】
Ｐ−ＣＳＣＦ４０のＳＭＳ送信部４５は、送信可否判定部４４による判定結果に基づいて、ＳＭＳを送信する。具体的には、通信端末に対してＬＴＥ網Ｎ１を介してＳＭＳ着信を通知すると判定した場合には、通信端末に対してＳＭＳ着信を通知する処理を実施する。また、通信端末に対して３Ｇ網Ｎ２を介してＳＭＳ着信を通知する（ＬＴＥ網Ｎ１を利用しない）と判定した場合には、ＧＭＳＣ／ＡＳ２０に対してエラーを通知する。このとき、Ｐ−ＣＳＣＦ４０が受信した情報（ＳＭＳ）を返送する構成としてもよい。ＧＭＳＣ／ＡＳ２０に対してＰ−ＣＳＣＦ４０からエラーが返送された場合、上述のように、ＳＭＳはＳＧＳＮ７０に対して送信される。
【００４５】
上記のメッセージ送信システム２を含む通信システム１におけるメッセージ送信方法のうち、特に、送信先を判定する手法について、図７を参照しながら説明する。なお、図７のフローチャートには、３Ｇ接続情報格納部２３に格納される３Ｇ接続情報の取得（接続先情報取得ステップ）、３Ｇ接続情報格納部２３への格納（接続先情報格納ステップ）、在圏移動情報格納部４３に格納される在圏移動情報の取得（接続先情報取得ステップ）、及び、在圏移動情報格納部４３への格納（接続先情報格納ステップ）については含まれていない。
【００４６】
ＵＥ８０ＢからのＵＥ８０Ａ宛のＳＭＳが送信されると、ＳＭＳＣ１０を介してＧＭＳＣ／ＡＳ２０のＳＭＳ受信部２１が受信する（Ｓ０１：メッセージ受信ステップ）。ＧＭＳＣ／ＡＳ２０では、送信先判定部２４がＨＳＳ３０に対して在圏情報を問い合わせることで、在圏情報を取得する（Ｓ０２：接続先情報取得ステップ）。このとき、送信先判定部２４では、ＨＳＳ３０から取得した在圏情報により、ＵＥ８０ＡがＬＴＥ網に在圏しているか否かを判断する（Ｓ０３：送信先判定ステップ）。ＬＴＥ網Ｎ１に在圏していない場合（Ｓ０３−ＮＯ）には、ＵＥ８０Ａは３Ｇ網Ｎ２に在圏しているので、送信先判定部２４では、３Ｇ網Ｎ２を介してＳＭＳを送信すると判定し、ＳＭＳ送信部２５からＳＧＳＮ７０に対してＳＭＳを送信し、ＳＭＳ着信を通知する（Ｓ０４：メッセージ送信ステップ）。
【００４７】
一方、ＬＴＥ網Ｎ１にＵＥ８０Ａが在圏している場合（Ｓ０３−ＹＥＳ）には、引き続き、送信先判定部２４において、ＳＲＶＣＣ中又はＣＳＦＢ通信中であるか否かを判断する（Ｓ０５：送信先判定ステップ）。この際には、３Ｇ接続情報格納部２３に格納された情報を用いて判断が行われる。ＵＥ８０ＡがＳＲＶＣＣ中又はＣＳＦＢ通信中である場合（Ｓ０５−ＹＥＳ）には、ＵＥ８０Ａは３Ｇ網Ｎ２に在圏しているので、送信先判定部２４では、３Ｇ網Ｎ２を介してＳＭＳを送信すると判定し、ＳＭＳ送信部２５からＳＧＳＮ７０に対してＳＭＳを送信し、ＳＭＳ着信を通知する（Ｓ０６：メッセージ送信ステップ）。一方、ＳＲＶＣＣ中又はＣＳＦＢ通信中ではない場合（Ｓ０６−ＮＯ）には、ＵＥ８０ＡはＬＴＥ網Ｎ１に在圏していると判断され、送信先判定部２４では、ＬＴＥ網Ｎ１を介してＳＭＳを送信すると判定し、ＳＭＳ送信部２５からＰ−ＣＳＣＦ４０に対してＳＭＳを送信し、ＳＭＳ着信を通知する（Ｓ０７）。
【００４８】
Ｐ−ＣＳＣＦ４０のＳＭＳ受信部４１においてＧＭＳＣ／ＡＳ２０からＳＭＳを受信すると、送信可否判定部４４では、在圏移動情報格納部４３に格納されている情報、すなわち、ＵＥ８０Ａに対応するＩＭＳ−ＰＤＮを認識しているか否かに基づいて、ＵＥ８０Ａが３Ｇ網に在圏移動しているか否か、すなわち、ＬＴＥ網Ｎ１を利用してＳＭＳを送信してよいか否かを判断する（Ｓ０８：送信先判定ステップ）。ＬＴＥ網Ｎ１に在圏している場合には、Ｐ−ＣＳＣＦ４０においてＩＭＳ−ＰＤＮを認識しているが、ＬＴＥ網Ｎ１に在圏していない場合には、Ｐ−ＣＳＣＦ４０ではＩＭＳ−ＰＤＮを認識しておらず、その情報が在圏移動情報格納部４３に格納される。ＵＥ８０Ａに係るＩＭＳ−ＰＤＮを認識している場合（Ｓ０８−ＹＥＳ）には、ＵＥ８０ＡはＬＴＥ網Ｎ１に在圏している。したがって、送信可否判定部４４では、ＬＴＥ網Ｎ１を介してＳＭＳを送信すると判定し、ＳＭＳ送信部４５からＵＥ８０Ａに対してＳＭＳを送信する（Ｓ０９：メッセージ送信ステップ）。
【００４９】
一方、ＵＥ８０Ａに係るＩＭＳ−ＰＤＮを認識していない場合（Ｓ０８−ＮＯ）には、ＵＥ８０ＡはＬＴＥ網Ｎ１に在圏しておらず、３Ｇ網Ｎ２に在圏していると推測される。したがって、送信可否判定部４４では、ＬＴＥ網Ｎ１を利用せず、３Ｇ網Ｎ２を介してＳＭＳを送信すると判定し、ＳＭＳ送信部４５からＧＭＳＣ／ＡＳ２０に対して、差し戻しを指示するエラーが通知される（Ｓ１０）。ＧＭＳＣ／ＡＳ２０では、Ｐ−ＣＳＣＦ４０からエラーが通知されると、ＳＧＳＮ７０に対してＳＭＳを送信し、ＳＭＳ着信を通知する（Ｓ１１）。
【００５０】
以上のステップにより、送信先の判定、すなわち、ＵＥ８０Ａに対してどの通信網（ＬＴＥ網Ｎ１又は３Ｇ網Ｎ２）を介してＳＭＳを送信するか判定されて、判定結果に基づいてＵＥ８０Ａに対してＳＭＳが送信される。
【００５１】
次に、図８〜図１０を参照しながら、通信システム１の各装置間での具体的な信号のやり取りについて説明する。まず、図８を参照しながら、ＵＥ８０ＡがＳＲＶＣＣ中である場合について説明する。
【００５２】
まず、ＳＲＶＣＣによりＵＥ８０ＡがＬＴＥ網Ｎ１から３Ｇ網Ｎ２へ接続する通信網を変更したとする（Ｓ２１）。このとき、ＵＥ８０Ａが接続先を変更したことに係る情報（SIP_INFO：在圏切替通知）は、Ｐ−ＣＳＣＦ４０からＳ−ＣＳＣＦ５０へ、及びＳ−ＣＳＣＦ５０からＡＳ（ＧＭＳＣ／ＡＳ２０）へ通知される（Ｓ２２、Ｓ２３）。これにより、ＧＭＳＣ／ＡＳ２０では、３Ｇ接続情報取得部２２にてＳＲＶＣＣを認識し（Ｓ２４）、３Ｇ接続情報格納部２３へ当該情報を格納する。
【００５３】
一方、ＵＥ８０ＢからＳＭＳＣ１０に対してＵＥ８０Ａ宛のＳＭＳを送信した場合、ＳＭＳＣ１０からＧＭＳＣ／ＡＳ２０（ＧＭＳＣ）に対してＳＭＳ着信を通知する情報（MT_Forward_SM.req：ＳＭＳ着信）が送信される（Ｓ２５）。ＧＭＳＣ／ＡＳ２０（ＧＭＳＣ）のＳＭＳ受信部２１でこれが受信されると、送信先判定部２４により、ＨＳＳ３０に対してＵＥ８０Ａの在圏情報の問い合わせを行うことで（SRIforSM.req：Ｓ２６）、ＨＳＳ３０から在圏情報を取得する（SRIforSM.ack：Ｓ２７）。この結果及びＳＭＳが、ＧＭＳＣからＡＳへ送られる（MT_Forward_SM.req：Ｓ２８）。なお、ＧＭＳＣ／ＡＳ２０のように一体化されている場合には、この情報の送信は、装置内で行われることとなる。
【００５４】
ＧＭＳＣ／ＡＳ２０（ＡＳ）では、事前にＳＲＶＣＣを認識している（Ｓ２４）ので、送信先判定部２４において、ＳＭＳＣ１０から送信されたＳＭＳを３Ｇ網Ｎ２に対して送信することを決定する（Ｓ２９）。そして、送信先判定部２４の判定結果に基づいて、ＧＭＳＣ／ＡＳ２０（ＡＳ）のＳＭＳ送信部２５からＳＧＳＮ７０に対して、ＳＭＳを送信することでＳＭＳの着信が通知される（MT_Forward_SM.req：Ｓ３０）。ＳＧＳＮ７０では、ＳＭＳを受信すると、３Ｇ網Ｎ２を介してＵＥ８０Ａに対してＳＭＳを送信する（Ｓ３１）。以上の方法により、ＵＥ８０Ａに対して３Ｇ網Ｎ２を介してＳＭＳを送信することができる。
【００５５】
次に、図９を参照しながら、ＵＥ８０ＡがＣＳＦＢ通信中である場合について説明する。
【００５６】
まず、音声発信要求をＵＥ８０ＡがＳ−ＣＳＣＦ５０に対して送信する（Ｓ４１）。これに対して、Ｓ−ＣＳＣＦ５０は、ＧＭＳＣ／ＡＳ２０（ＡＳ）に対して、音声通信に係る通知を行い（200 OK(INVITE)：Ｓ４２）、ＧＭＳＣ／ＡＳ２０（ＡＳ）は応答する（200OK(INVITE)：Ｓ４３）。これにより、ＵＥ８０Ａにより３Ｇ網Ｎ２を利用したＣＳＦＢ通信が開始される（Ｓ４４）。このとき、ＧＭＳＣ／ＡＳ２０（ＡＳ）では、３Ｇ接続情報取得部２２にてＣＳＦＢ通信を開始したことを認識し、３Ｇ接続情報格納部２３へ当該情報を格納する。
【００５７】
一方、ＵＥ８０ＢからＳＭＳＣ１０に対してＵＥ８０Ａ宛のＳＭＳを送信した場合、ＳＭＳＣ１０からＧＭＳＣ／ＡＳ２０（ＧＭＳＣ）に対してＳＭＳ着信を通知する情報（MT_Forward_SM.req：ＳＭＳ着信）が送信される（Ｓ４５）。ＧＭＳＣ／ＡＳ２０（ＧＭＳＣ）のＳＭＳ受信部２１でこれが受信されると、送信先判定部２４により、ＨＳＳ３０に対してＵＥ８０Ａの在圏情報の問い合わせを行うことで（SRIforSM.req：Ｓ４６）、ＨＳＳ３０から在圏情報を取得する（SRIforSM.ack：Ｓ４７）。この結果及びＳＭＳが、ＧＭＳＣからＡＳへ送られる（MT_Forward_SM.req：Ｓ４８）。なお、ＧＭＳＣ／ＡＳ２０のように一体化されている場合には、この情報の送信は、装置内で行われることとなる。
【００５８】
ＧＭＳＣ／ＡＳ２０（ＡＳ）では、事前にＣＳＦＢ通信中であることを認識している（Ｓ４４）ので、送信先判定部２４において、ＳＭＳＣ１０から送信されたＳＭＳを３Ｇ網Ｎ２に対して送信することを決定する（Ｓ４９）。そして、送信先判定部２４の判定結果に基づいて、ＧＭＳＣ／ＡＳ２０（ＡＳ）のＳＭＳ送信部２５からＳＧＳＮ７０に対して、ＳＭＳを送信することでＳＭＳの着信が通知される（MT_Forward_SM.req：Ｓ５０）。ＳＧＳＮ７０では、ＳＭＳを受信すると、３Ｇ網Ｎ２を介してＵＥ８０Ａに対してＳＭＳを送信する（Ｓ５１）。以上の方法により、ＵＥ８０Ａに対して３Ｇ網Ｎ２を介してＳＭＳを送信することができる。
【００５９】
次に、図１０を参照しながら、ＵＥ８０Ａが３Ｇ網Ｎ２に在圏移動した場合について説明する。
【００６０】
ＵＥ８０Ａが３Ｇ網Ｎ２への在圏移動に係る処理を開始する（Ｓ６１）場合、まず、ＵＥ８０ＡからＳＧＳＮ７０に対して位置登録に係る信号が送信される（Attach Request：Ｓ６２）。ＳＧＳＮ７０では、ＵＥ８０Ａからの信号に基づいて、ＵＥ８０ＡがＬＴＥ網Ｎ１における通信路であるＩＭＳベアラの切断が必要であることを認識し（Ｓ６３）、ＳＧＳＮ７０及びＰＣＲＦ６０がＩＭＳベアラの切断に係る処理を行う（Ｓ６４）。ＩＭＳベアラの切断完了後、ＰＣＲＦ６０からＬＴＥ網Ｎ１側のＰ−ＣＳＣＦ４０に対してＰＣＲＦ６０におけるＩＭＳベアラの切断（解放）に係る処理が終了したことを通知する（Dia_ASR：Ｓ６５）。Ｐ−ＣＳＣＦ４０の在圏移動情報取得部４２では、このＰＣＲＦ６０からの通知に基づいて、ＵＥ８０Ａに係るＩＭＳ−ＰＤＮが解放されたと認識し（Ｓ６６）、在圏移動情報格納部４３へ当該情報を格納する。また、ＰＣＲＦ６０からの通知に対する応答を送信する（Dia_ASA：Ｓ７０）。
【００６１】
一方、ＵＥ８０ＢからＳＭＳＣ１０に対してＵＥ８０Ａ宛のＳＭＳを送信した場合、ＳＭＳＣ１０からＧＭＳＣ／ＡＳ２０（ＧＭＳＣ）に対してＳＭＳ着信を通知する情報（MT_Forward_SM.req：ＳＭＳ着信）が送信される（Ｓ６７）。ＧＭＳＣ／ＡＳ２０（ＧＭＳＣ）のＳＭＳ受信部２１でこれが受信されると、送信先判定部２４により、ＨＳＳ３０に対してＵＥ８０Ａの在圏情報の問い合わせを行うことで（SRIforSM.req：Ｓ６８）、ＨＳＳ３０から在圏情報を取得する（SRIforSM.ack：Ｓ６９）。ＵＥ８０Ａが在圏移動した場合、ＧＭＳＣ／ＡＳ２０（ＧＭＳＣ）の３Ｇ接続情報格納部２３にはＵＥ８０Ａに係る情報は格納されないので、送信先判定部２４は、ＨＳＳ３０からの情報に基づいて、ＵＥ８０ＡがＬＴＥ網Ｎ１に在圏していると判断し、Ｐ−ＣＳＣＦ４０に対してＳＭＳを送信し、ＳＭＳ着信を通知する（SIP_Message／ＳＭＳ着信：Ｓ７１）。
【００６２】
Ｐ−ＣＳＣＦ４０のＳＭＳ受信部４１がＳＭＳを受信すると、送信可否判定部４４において、在圏移動情報格納部４３においてＵＥ８０Ａに係る在圏移動情報を保持しているかを確認する。このとき、Ｐ−ＣＳＣＦ４０では、事前にＵＥ８０Ａが在圏移動をした（ＵＥ８０Ａに係るＩＭＳ−ＰＤＮが存在しない）ことを認識している（Ｓ６６）ので、送信可否判定部４４において、ＳＭＳをＧＭＳＣ／ＡＳ２０に対して返送し、ＬＴＥ網Ｎ１を使用したＳＭＳ送信を行わず、３Ｇ網Ｎ２を介してＵＥ８０Ａに対して送信することと判定する。その結果、ＳＭＳ送信部４５からＧＭＳＣ／ＡＳ２０に対して、エラー応答（ＳＭＳ着信ＮＧ）が返される（SIP_504：Ｓ７２）。ＧＭＳＣ／ＡＳ２０は、Ｐ−ＣＳＣＦ４０からエラーが返されると、ＳＧＳＮ７０に対してＳＭＳを送信し、ＳＭＳ着信を通知する（MT_Forward_SM.req／ＳＭＳ着信：Ｓ７３）。ＳＧＳＮ７０では、ＳＭＳを受信すると、３Ｇ網Ｎ２を介してＵＥ８０Ａに対してＳＭＳを送信する（Ｓ７４）。以上の方法により、ＵＥ８０Ａに対して３Ｇ網Ｎ２を介してＳＭＳを送信することができる。
【００６３】
以上のように、本実施形態に係る通信システム１に含まれるメッセージ送信システム２及びメッセージ送信方法によれば、メッセージ送信システム２を構成するＧＭＳＣ／ＡＳ２０及びＰ−ＣＳＣＦ４０において、ＨＳＳ３０で保持される通信端末（本実施形態ではＵＥ８０Ａ）の在圏情報と、通信端末が接続する通信網を変更したことを示す情報と、を含む接続先情報に基づいて、送信先判定部２４及び送信可否判定部４４にて、通信端末が接続中の通信網を判定し、当該通信網を使用して通信端末に対してＳＭＳを送信する。したがって、複数の通信網を利用する通信端末へのＳＭＳの送信を好適に行うことが可能となる。特に、本実施形態に係るメッセージ送信システム２及びメッセージ送信方法では、例えば、本来通信端末が接続する通信網を示すはずの在圏情報が、通信端末が実際に接続している通信網の情報を反映できていない場合（通信端末が実際に接続している通信網が、在圏情報で示される通信網とは異なる場合）にも、在圏情報とは別に取得される情報、すなわち、接続する通信網を変更したことを示す情報を用いることで、通信端末が実際に接続する通信網を利用したＳＭＳの送信が可能となる。
【００６４】
通信端末が実際に接続している通信網の情報を反映できていない場合（通信端末が実際に接続している通信網が、在圏情報で示される通信網とは異なる場合）に生じる技術課題は、音声着信においても生じることが考えられる。この点について、音声着信については、３ＧＰＰの標準化規格であるＴ−ＡＤＳ方式（Terminating  Access  Domain  Selection）によってこの課題を解決している（3GPP  TS  23.221：Architectural  requirements）。したがって、ＳＭＳ着信についてもＴ−ＡＤＳ方式を利用することで対応することも考えられる。しかしながら、Ｔ−ＡＤＳ方式を利用すると、通信端末が接続する通信網の情報を取得するために通信量（主にメール配信による制御ＳＭＳ）が増大し、設備容量が不足するという懸念がある。これに対して、本実施形態に係るメッセージ送信システム２及びメッセージ送信方法では、メッセージ送信システム２において、通信端末が実際に接続する通信網を特定してＳＭＳを送信するため、通信網の情報を取得するために増加する通信量を抑制することができる。
【００６５】
通信端末が実際に接続している通信網の情報を反映できないケースとしては、例えば、ＬＴＥ網Ｎ１及び３Ｇ網Ｎ２に接続可能な通信端末が、ＳＲＶＣＣ又はＣＳＦＢ通信を開始した場合が挙げられる。また、通信端末がＬＴＥ網Ｎ１から３Ｇ網Ｎ２へ接続先を変更（在圏移動）した場合にも、接続先を変更したことを在圏情報へ反映させるにはタイムラグが生じるため、通信端末が実際に接続している通信網が、在圏情報で示される通信網とは異なる状況が生じる。したがって、上記実施形態のように、通信端末が接続する通信網を変更したことを示す情報として、通信端末がＳＲＶＣＣ又はＣＳＦＢ通信を開始したことを示す情報、或いは、通信端末がＬＴＥ網Ｎ１から３Ｇ網Ｎ２へ接続先を変更したことを示す情報を用いることで、複数の通信網を利用する通信端末へのメッセージの送信をより好適に行うことが可能となる。
【００６６】
以上、本発明をその実施形態に基づいて詳細に説明した。しかし、本発明は上記実施形態に限定されるものではない。本発明は、その要旨を逸脱しない範囲で以下のような様々な変形が可能である。
【００６７】
例えば、上記実施形態では、メッセージ送信システム２がＧＭＳＣ／ＡＳ２０及びＰ−ＣＳＣＦ４０を含んで構成される場合について説明したが、例えばメッセージ送信システム２に係る機能を１台の装置で全て実行するようにしてもよく、逆に他の装置にメッセージ送信システム２に係る機能を分散させてもよい。すなわち、メッセージ送信システム２の装置構成は適宜変更することができる。
【００６８】
また、上記実施形態では、メッセージ送信システム２により送信するメッセージがＳＭＳである場合について説明したが、メッセージ送信システム２により送信する対象となるメッセージは、ＳＭＳに限定されるものではない。
【００６９】
また、上記実施形態では、メッセージ送信システム２において、在圏情報からＵＥ８０ＡがＬＴＥ網Ｎ１にいると判断される場合に、ＵＥ８０Ａが３Ｇ網Ｎ２へ接続している（ＳＲＶＣＣ中又はＣＳＦＢ通信中である）か、又は３Ｇ網Ｎ２へ在圏移動をしているか、を判断する構成について説明した。しかしながら、メッセージ送信システム２は、上記の状況以外にも適用することができる。すなわち、複数の通信網に対して接続可能な通信端末について、通信端末の在圏情報とは別に、通信端末が接続先を変更したことを示す情報を取得し、これらを接続先情報として、通信端末に対してメッセージを送信する際に使用する通信網を決定する構成であれば特に限定されない。
【符号の説明】
【００７０】
１…通信システム、２…メッセージ送信システム、１０…ＳＭＳＣ、２０…ＧＭＳＣ／ＡＳ、３０…ＨＳＳ、４０…Ｐ−ＣＳＣＦ、５０…Ｓ−ＣＳＣＦ、６０…ＰＣＲＦ、７０…ＳＧＳＮ。
【図１】
0006355573.tif 000002
【図２】
0006355573.tif 000003
【図３】
0006355573.tif 000004
【図４】
0006355573.tif 000005
【図５】
0006355573.tif 000006
【図６】
0006355573.tif 000007
【図７】
0006355573.tif 000008
【図８】
0006355573.tif 000009
【図９】
0006355573.tif 000010
【図１０】
0006355573.tif 000011